(57)【要約】【課題】手書き入力された情報を任意の色を用いて表示することが可能な表示装置、入力装置及びタッチペンを提供する。【解決手段】タッチペン２は、内部に測色センサを有する。ユーザは、タッチペン２の第２機能ボタン２３ｃを操作して測色モードを選択する。そして、ユーザは、タッチペン２のペン先を、色情報を検出したい対象物に近付けて（接触させて）、タッチペン２の第１機能ボタン２３ｂを操作する。これにより、タッチペン２は、測色センサによる測色処理を行い、対象物の色情報を検出し、表示装置へ出力する。表示装置は、タッチペン２から取得した色情報を、測色した色に設定し、この色が選択されているときに手書き入力された文字又は線を、設定した色（測色した色）にて表示させる。【選択図】図３
2013250805.tif 000002
【特許請求の範囲】
【請求項１】
手書き入力を受け付けるタッチパネルと、該タッチパネルが受け付けた手書きの軌跡を表示する表示部と、前記タッチパネルに対して入力操作を行う操作体とを備える表示装置において、
前記操作体は、
色情報を検出する色検出部と、
該色検出部が検出した色情報を送信する送信部とを有し、
前記操作体が送信した色情報を受信する受信部と、
該受信部が受信した色情報で、前記タッチパネルが受け付けた手書きの軌跡を前記表示部に表示させる表示制御部と
を備えることを特徴とする表示装置。
【請求項２】
前記色情報は、無線通信にて送受信されるようにしてあることを特徴とする請求項１に記載の表示装置。
【請求項３】
前記操作体は、
複数の色情報の切り替えを受け付ける色切替受付部と、
色情報の検出指示を受け付ける指示受付部とを備え、
前記色検出部は、前記色切替受付部が所定の色情報への切り替えを受け付けた場合であって、前記指示受付部が前記検出指示を受け付けたときに色情報を検出するようにしてあることを特徴とする請求項１又は２に記載の表示装置。
【請求項４】
前記操作体はタッチペンであり、
前記色検出部は、前記タッチペンのペン先に設けられていることを特徴とする請求項１から３までのいずれかひとつに記載の表示装置。
【請求項５】
手書き入力を受け付けるタッチパネルと、該タッチパネルが受け付けた手書きの軌跡を表示装置に表示させる表示制御部と、前記タッチパネルに対して入力操作を行う操作体とを備える入力装置において、
前記操作体は、
色情報を検出する色検出部と、
該色検出部が検出した色情報を送信する送信部とを有し、
前記操作体が送信した色情報を受信する受信部を更に備え、
前記表示制御部は、前記受信部が受信した色情報で、前記タッチパネルが受け付けた手書きの軌跡を前記表示装置に表示させるようにしてある
ことを特徴とする入力装置。
【請求項６】
タッチパネルに対して入力操作を行うタッチペンにおいて、
色情報を検出する色検出部と、
該色検出部が検出した色情報を送信する送信部と
を備えることを特徴とするタッチペン。
【請求項７】
前記色検出部が検出した色情報を記憶する記憶部を備えることを特徴とする請求項６に記載のタッチペン。
【発明の詳細な説明】
【技術分野】
【０００１】
本発明は、タッチパネルに対して手書きされた軌跡を受け付けて表示する表示装置及び入力装置、並びに、タッチパネルに対して入力操作を行うタッチペンに関する。
【背景技術】
【０００２】
図１０は従来の電子白板システムを説明するための模式図である。電子白板システムは、タッチパネルを有する表示装置１０１と、タッチパネルに対して入力操作を行うタッチペン１０２とを有する。表示装置１０１の表示領域は、タッチペン１０２を用いて文字及び絵等を自由に描画できる描画領域１０１ａと、電子白板システムで実行可能な各機能を選択するためのメニューボタンが表示されたメニュー表示領域１０１ｂとを有する。図１０に示したメニュー表示領域１０１ｂには、保存ボタン、印刷ボタン、削除ボタン、終了ボタン、カラーパレットボタン及び消しゴムボタンが表示されている。
【０００３】
保存ボタンは、描画領域１０１ａに描画されて表示中の文字及び絵等を画像データとして取り込み、保存する保存機能の実行を指示するためのボタンである。印刷ボタンは、描画領域１０１ａに表示中の文字及び絵等を画像データとして取り込み、電子白板システムと通信可能なプリンタにて印刷する印刷機能の実行を指示するためのボタンである。また、削除ボタンは、描画領域１０１ａに表示中の文字及び絵等を全て消去する削除機能の実行を指示するためのボタンである。終了ボタンは、電子白板システムの動作終了を指示するためのボタンである。更に、カラーパレットボタンは、描画領域１０１ａに文字及び絵等を描画する際の線又は文字の色を選択する色選択機能の実行を指示するためのボタンである。消しゴムボタンは、描画領域１０１ａに表示中の文字及び絵等の一部を消去する消しゴム機能の実行を指示するためのボタンである。
【０００４】
このような構成により、ユーザは、タッチペン１０２を筆記具のように使用して描画領域１０１ａに文字及び絵等を描画できる。また、ユーザは、メニュー表示領域１０１ｂに表示されたメニューボタンをタッチペン１０２にてタッチすることにより、電子白板システムで実行可能な各機能の実行を指示できる。
【０００５】
上述した構成の電子白板システムでは、タッチペン１０２を用いて描画領域１０１ａに描画中に、文字及び線の色を変更したい場合、ユーザは、メニュー表示領域１０１ｂ中のカラーパレットボタンをタッチペン１０２にて選択する。カラーパレットボタンが操作された場合、表示装置１０１は、選択可能な色を示すカラーパレット１０１ｃを描画領域１０１ａに表示する。よって、ユーザは、カラーパレット１０１ｃに表示された色のうちで、所望の色をタッチペン１０２にて選択する。ユーザによって色が選択された後は、表示装置１０１は、カラーパレット１０１ｃの表示を終了する。このような色変更機能を用いることにより、所望の色にて描画することができる。
【０００６】
また、特許文献１では、ペン先にインクの吐出口及び測色センサを有するペンが、吐出したインクによる筆記色が目標色に一致するまでインクの吐出を継続することにより、所望の色の筆記を可能とする技術が提案されている。
【先行技術文献】
【特許文献】
【０００７】
【特許文献１】特開２００６−７５６９号公報
【発明の概要】
【発明が解決しようとする課題】
【０００８】
上述したようにカラーパレット１０１ｃから所望の色を選択するシステムでは、選択可能な色が制限されてしまい、カラーパレット１０１ｃにない色や微妙な色合いの色を使用したい場合には、所望の色を適切に選択できないという問題がある。また、カラーパレット１０１ｃにない色をユーザが作成できる機能を電子白板システムに設けることも考えられるが、この場合、煩雑な色作成操作をユーザに強いるという問題もある。
特許文献１に開示された技術では、ペン自体がインクジェットプリンタであり、電子白板システムにおけるタッチペンに利用できるものではない。
【０００９】
本発明はかかる事情に鑑みてなされたものである。その目的とするところは、ユーザが煩雑な操作を行うことなく、描画した文字及び線（手書き入力した軌跡）を任意の色で表示することが可能な表示装置、入力装置及びタッチペンを提供することにある。
【課題を解決するための手段】
【００１０】
本発明に係る表示装置は、手書き入力を受け付けるタッチパネルと、該タッチパネルが受け付けた手書きの軌跡を表示する表示部と、前記タッチパネルに対して入力操作を行う操作体とを備える表示装置において、前記操作体は、色情報を検出する色検出部と、該色検出部が検出した色情報を送信する送信部とを有し、前記操作体が送信した色情報を受信する受信部と、該受信部が受信した色情報で、前記タッチパネルが受け付けた手書きの軌跡を前記表示部に表示させる表示制御部とを備えることを特徴とする。
【００１１】
本発明によれば、タッチパネルに対して入力操作を行う操作体が、色情報を検出して外部へ送信する。一方、操作体を用いてタッチパネルを介して入力された手書きの軌跡を表示する表示装置が、操作体から送信された色情報を受信し、受信した色情報で手書きの軌跡を表示させる。よって、操作体にて任意の色の色情報を取得できるので、カラーパレット等によって予め用意された色以外の色を用いて、手書き入力した文字及び線図等を表示することが可能となる。
【００１２】
本発明に係る表示装置は、前記色情報は、無線通信にて送受信されるようにしてあることを特徴とする。
【００１３】
本発明によれば、操作体及び表示装置本体との間で送受信される色情報は、無線通信にて送受信されるので、操作体を表示装置本体とは別体で構成することができる。よって、操作体と表示装置本体とを有線で接続した場合の通信線が不要となるので、操作体を用いた操作が容易となる。
【００１４】
本発明に係る表示装置は、前記操作体は、複数の色情報の切り替えを受け付ける色切替受付部と、色情報の検出指示を受け付ける指示受付部とを備え、前記色検出部は、前記色切替受付部が所定の色情報への切り替えを受け付けた場合であって、前記指示受付部が前記検出指示を受け付けたときに色情報を検出するようにしてあることを特徴とする。
【００１５】
本発明によれば、操作体は、複数の色情報の切り替えを受け付けており、所定の色情報への切り替えを受け付けた場合であって、色情報の検出指示を受け付けたときに、色情報を検出する。これにより、ユーザによって切り替えが可能な色情報のうちの１つとして、操作体が検出した色情報を用いることができ、操作体が検出した色情報を、予め用意された所定の色情報と同様に扱うことができる。
【００１６】
本発明に係る表示装置は、前記操作体はタッチペンであり、前記色検出部は、前記タッチペンのペン先に設けられていることを特徴とする。
【００１７】
本発明によれば、操作体はタッチペンであり、タッチペンのペン先に色検出部が設けられている。よって、タッチペンにて任意の色情報を取得したいユーザは、タッチパネルに対してタッチペンを用いる場合と同様に、ペン先を任意の色情報を有する対象物に対向させればよく、任意の色情報を容易に取得できる。
【００１８】
本発明に係る入力装置は、手書き入力を受け付けるタッチパネルと、該タッチパネルが受け付けた手書きの軌跡を表示装置に表示させる表示制御部と、前記タッチパネルに対して入力操作を行う操作体とを備える入力装置において、前記操作体は、色情報を検出する色検出部と、該色検出部が検出した色情報を送信する送信部とを有し、前記操作体が送信した色情報を受信する受信部を更に備え、前記表示制御部は、前記受信部が受信した色情報で、前記タッチパネルが受け付けた手書きの軌跡を前記表示装置に表示させるようにしてあることを特徴とする。
【００１９】
本発明によれば、タッチパネルに対して入力操作を行う操作体が、色情報を検出して外部へ送信する。一方、操作体を用いてタッチパネルを介して入力された手書きの軌跡を表示装置に表示させる入力装置が、操作体から送信された色情報を受信し、受信した色情報で手書きの軌跡を表示装置に表示させる。よって、操作体にて任意の色の色情報を取得できるので、カラーパレット等によって予め用意された色以外の色を用いて、手書き入力した文字及び線図等を表示装置に表示することが可能となる。
【００２０】
本発明に係るタッチペンは、タッチパネルに対して入力操作を行うタッチペンにおいて、色情報を検出する色検出部と、該色検出部が検出した色情報を送信する送信部とを備えることを特徴とする。
【００２１】
本発明によれば、タッチパネルに対して入力操作を行うタッチペンが、色情報を検出し、検出した色情報を送信する。よって、上述したような表示装置及び入力装置における操作体をタッチペンにて実現できる。
【００２２】
本発明に係るタッチペンは、前記色検出部が検出した色情報を記憶する記憶部を備えることを特徴とする。
【００２３】
本発明によれば、タッチペンが、検出した色情報を記憶する記憶部を備えるので、一度検出した色情報を異なる表示装置（電子白板システム）に使用することができる。
【発明の効果】
【００２４】
本発明では、カラーパレット等によって予め用意された色以外の任意の色を用いて、手書き入力した文字及び線図等を表示することができる。よって、使用可能な色が制限されず、カラーパレットにない色や微妙な色合いの色の使用も可能となり、色の選択範囲が広がる。また、カラーパレットにない色を使用したい場合であっても、ユーザは煩雑な操作を行って色を作成する必要がない。ユーザは操作体にて色検出を行えばよいので、所望の色を容易に且つ迅速に選択できる。更に、カラーパレットを表示する必要がないので、描画領域にカラーパレットを表示する構成と比較して、描画領域を有効に使用できる。
【図面の簡単な説明】
【００２５】
【図１】実施形態１の電子白板システムの外観を示す模式図である。
【図２】実施形態１の電子白板システムの構成を示すブロック図である。
【図３】タッチペンの構造を示す模式図である。
【図４】表示装置による表示画面例を示す模式図である。
【図５】測色処理の手順を示す模式図である。
【図６】測色した色を用いた場合の表示画面例を示す模式図である。
【図７】タッチペンが行う処理の手順を示すフローチャートである。
【図８】表示装置が行う処理の手順を示すフローチャートである。
【図９】実施形態２の電子白板システムの構成を示すブロック図である。
【図１０】従来の電子白板システムを説明するための模式図である。
【発明を実施するための形態】
【００２６】
以下に、本発明に係る表示装置、入力装置及びタッチペンについて、その実施形態を示す図面に基づいて詳述する。
【００２７】
（実施形態１）
本実施形態１では、本発明に係る表示装置を電子白板システムに適用した例について説明する。図１は実施形態１の電子白板システムの外観を示す模式図である。本実施形態１の電子白板システムは、タッチパネル１５ａ（図２参照）を有する表示装置１と、タッチパネル１５ａに対して入力操作を行うタッチペン（操作体）２とを有する。
【００２８】
図２は実施形態１の電子白板システムの構成を示すブロック図である。本実施形態１の電子白板システムにおいて、表示装置１は、主制御部１０、ＲＡＭ（Random Access Memory）１１、記憶部１２、バックライト制御部１３、表示制御部１４、タッチパネル制御部１５及び超音波受信部１６等を備える。これらのハードウェア各部はバスを介して相互に接続されている。
主制御部１０は、ＣＰＵ（Central Processing Unit）又はＭＰＵ（Micro Processor Unit）等である。主制御部１０は、記憶部１２に記憶されている制御プログラムを適宜ＲＡＭ１１にロードして実行することにより上述のハードウェア各部を制御し、表示装置１を、本発明に係る表示装置として動作させる。
【００２９】
ＲＡＭ１１は、ＳＲＡＭ（Static ＲＡＭ）、ＤＲＡＭ（Dynamic ＲＡＭ）、フラッシュメモリ等である。ＲＡＭ１１は、主制御部１０による各種プログラムの実行時に発生する種々のデータを一時的に記憶する。
記憶部１２は、ＥＥＰＲＯＭ（Electrically Erasable and Programmable ROM）、フラッシュメモリ、ＨＤＤ（Hard Disk Drive）等の不揮発性メモリである。記憶部１２は、主制御部１０が実行すべき制御プログラム及び各種データを予め記憶している。また、記憶部１２は、タッチペン２を用いて入力された手書きの情報（軌跡）を液晶モニタ１４ａに表示させるために主制御部１０が実行すべき表示制御アプリケーションを記憶している。なお、表示制御アプリケーションは、予め記憶部１２に記憶されている構成に限らない。例えば、主制御部１０が、通信部（図示せず）を介してネットワークに接続された外部装置から表示制御アプリケーションをダウンロードして記憶部１２に記憶してもよい。また、主制御部１０が、表示制御アプリケーションを格納している外部記憶媒体から読取部（図示せず）にて読み出して記憶部１２に記憶してもよい。
【００３０】
バックライト制御部１３にはバックライト１３ａが接続されており、表示制御部１４には液晶モニタ１４ａが接続されている。バックライト１３ａは、白色ＬＥＤ（Light Emitting Diode）又は冷陰極蛍光管等の光源を有し、液晶モニタ１４ａを背面側から照明する。バックライト制御部１３は、主制御部１０からの指示に従ってバックライト１３ａの光源の点灯及び消灯を制御する。液晶モニタ１４ａは、例えば赤（Ｒ）、緑（Ｇ）及び青（Ｂ）のカラーフィルタを有しており、主制御部１０からの指示に従って表示制御部１４が液晶モニタ１４ａを駆動させることにより、カラー映像が液晶モニタ１４ａに表示される。
【００３１】
タッチパネル制御部１５にはタッチパネル１５ａ及び超音波受信部１６が接続されている。タッチパネル１５ａは、例えば、液晶モニタ１４ａの前面（表示面）側に配置されており、静電容量方式、抵抗膜方式、電磁誘導方式又は赤外線方式等のタッチセンサである。超音波受信部１６は、外部装置から超音波にて送信された信号を受信する信号受信部である。
本実施形態１では、後述するタッチペン２の操作ボタン２３ａ，２３ｂ，２３ｃが操作された場合に、タッチペン２が、操作された操作ボタン２３ａ，２３ｂ，２３ｃに対応する信号を超音波を用いて送信する。よって、超音波受信部１６は、タッチペン２から発信された超音波を受信することによって、タッチペン２から送信された信号を受信する。
【００３２】
タッチパネル制御部１５は、タッチペン２から受信した信号（超音波）に基づいて、タッチペン２のいずれの操作ボタン２３ａ，２３ｂ，２３ｃが操作されたかを検出する。また、タッチパネル制御部１５は、タッチパネル１５ａに対して入力操作するタッチペン２がタッチパネル１５ａに接触した場合に、その接触位置を検出する。タッチパネル制御部１５は、検出した接触位置及びユーザが操作した操作ボタン２３ａ（又は２３ｂ，２３ｃ）に基づいて、ユーザによって手書きされた情報、ユーザによって選択されたメニューを検出して主制御部１０へ出力する。
【００３３】
本実施形態１の電子白板システムにおいて、タッチペン２は、制御部２０、ＲＡＭ２１、記憶部２２、操作検知部２３、色検出部２４、超音波発信部２６及びランプ２７等を備える。これらのハードウェア各部はバスを介して相互に接続されている。
制御部２０は、ＣＰＵ又はＭＰＵ等である。制御部２０は、記憶部２２に記憶されている制御プログラムを適宜ＲＡＭ２１にロードして実行することにより上述のハードウェア各部を制御し、タッチペン２としての動作を実行する。
【００３４】
ＲＡＭ２１は、ＳＲＡＭ、ＤＲＡＭ、フラッシュメモリ等である。ＲＡＭ２１は、制御部２０による各種プログラムの実行時に発生する種々のデータを一時的に記憶する。
記憶部２２は、ＥＥＰＲＯＭ、フラッシュメモリ等である。記憶部２２は、制御部２０が実行すべき制御プログラム及び各種データを予め記憶している。
【００３５】
操作検知部２３は、タッチペン２が備える操作ボタン２３ａ，２３ｂ，２３ｃがユーザによって操作されたか否かを検知する。操作検知部２３は、いずれかの操作ボタン２３ａ（又は２３ｂ，２３ｃ）が操作されたことを検知した場合、操作された操作ボタン２３ａ（又は２３ｂ，２３ｃ）に対応する信号を制御部２０へ出力する。タッチペン２が備える操作ボタン２３ａ，２３ｂ，２３ｃの構成については後述する。
【００３６】
色検出部２４には測色センサ２５が接続されている。測色センサ２５は、例えばＬＥＤを用いて発光する発光部と受光する受光部とを有する。測色センサ２５は、色情報を検出したい対象物に対して発光部によって光を照射し、受光部によって対象物からの反射光を受光し、受光した反射光の強度を検知信号として色検出部２４へ出力する。色検出部２４は、測色センサ２５からの検知信号に基づいて対象物の色情報を検出し、検出した色情報を制御部２０へ出力する。なお、色検出部２４は、制御部２０からの指示に従ったタイミングで測色センサ２５に測色処理（色情報検出処理）を行わせ、対象物の色情報を検出する。測色センサ２５は、上述の構成のほかに、例えばＣＣＤ（Charge Coupled Device）を用いて対象物を撮影し、得られた画像データに基づいて対象物の色情報を検出する構成でもよい。
【００３７】
超音波発信部２６は、超音波を用いて外部装置へ情報を送信する信号送信部であり、外部装置へ情報を送信するための超音波を発信する。本実施形態１では、ユーザが操作した操作ボタン２３ａ（又は２３ｂ，２３ｃ）を示す情報が超音波を用いて表示装置１へ送信される。
ランプ２７は、例えばＬＥＤランプであり、制御部２０からの指示に従って点灯又は消灯する。例えば、制御部２０は、タッチペン２に装着された電池（図示せず）の残量を検出する機能を有しており、電池の残量が所定量未満となった場合に、ランプ２７を点灯させる。また、タッチペン２に何らかの障害が発生した場合にランプ２７を点滅させて、障害の発生をユーザに通知するようにしてもよい。
【００３８】
図３はタッチペン２の構造を示す模式図である。図３Ａにはタッチペン２の外観図を示し、図３Ｂにはペン先部２ａの取り付け手順を示し、図３Ｃにはペン先部２ａの拡大図を示す。本実施形態１のタッチペン２は、ペン型のポインティングデバイスであり、ペン先が操作ボタン２３ａ（以下、ペン先ボタン２３ａという）に構成されている。即ち、ユーザがタッチペン２のペン先で表示装置１のタッチパネル１５ａ上をタッチした場合、操作検知部２３は、ペン先ボタン２３ａが操作されたことを検知する。また、タッチペン２の筐体には２つの操作ボタン２３ｂ，２３ｃ（以下、第１機能ボタン２３ｂ，第２機能ボタン２３ｃという）がそれぞれ、ユーザがタッチペン２を保持した状態でも操作し易い適宜位置に設けられている。更に、タッチペン２の筐体の適宜箇所にはランプ２７が設けられており、タッチペン２のペン先とは反対側の端部には超音波発信部２６が設けられている。
【００３９】
本実施形態１のタッチペン２は、ペン先ボタン２３ａを構成するペン先部２ａが着脱可能に構成されており、ペン先が消耗（破損）した場合に取り替え可能である。ペン先部２ａは、図３Ｂ及び図３Ｃに示すように、半球状のペン先と、ペン先の円形端面から延設された円柱状のペン先支持部とで構成され、図３Ｂ中の矢符Ａで示す方向でペン先支持部をタッチペン２本体に挿入して取り付けられる。また、ペン先部２ａの内部には、導光孔２ｂが設けられており、ペン先部２ａが取り付けられたタッチペン２の内部において、導光孔２ｂの開口端近傍に測色センサ２５が配置される。これにより、測色センサ２５の発光部が発した光が、ペン先の近傍に存在する対象物に照射できると共に、対象物からの反射光を測色センサ２５の受光部にて受光できる。なお、図３Ｃに示す導光孔２ｂは、ペン先部２ａのペン先支持部の軸長方向とは少しずれた方向に穿設されているが、測色センサ２５と対象物との間で光が行き来できる孔であれば、導光孔２ｂの方向はこのような方向に限らない。例えば、ペン先支持部の軸長方向に一致する方向に導光孔２ｂを設けてもよい。
【００４０】
本実施形態１の表示装置１において、ユーザが起動指示を行った場合、主制御部１０は、起動処理を行い、起動処理後、記憶部１２に記憶してある表示制御アプリケーションをＲＡＭ１１に読み出して実行する。図４は表示装置１による表示画面例を示す模式図である。本実施形態１の電子白板システムにおいて、表示装置１の表示領域は、右端に設けられた縦長のメニュー表示領域１ｂと、それ以外の描画領域１ａとを有する。描画領域１ａは、ユーザがタッチペン２を用いて文字及び絵等を自由に描画できる領域である。メニュー表示領域１ｂは、電子白板システムで実行可能な各機能を選択するためのメニューボタンが表示された領域である。
【００４１】
描画領域１ａに文字又は絵等を描画したい場合、ユーザは、描画領域１ａにタッチペン２のペン先を接触させて文字又は線を書く。詳細には、描画領域１ａに対してペン先のペン先ボタン２３ａを押し当てる。
このとき、タッチペン２は、ペン先ボタン２３ａが操作されたことを操作検知部２３にて検出して超音波発信部２６にて表示装置１に通知する。表示装置１は、ペン先ボタン２３ａが操作されたことをタッチペン２から通知された場合、タッチパネル１５ａに対してタッチペン２（ペン先ボタン２３ａ）が操作された位置をタッチパネル制御部１５にて検出する。タッチパネル制御部１５は、検出した位置が描画領域１ａ内であれば、描画領域１ａに対してタッチペン２を用いて手書き入力されたと検出する。
【００４２】
タッチパネル制御部１５は、描画領域１ａに対するペン先ボタン２３ａの操作位置を所定時間間隔で検出することにより、描画領域１ａに対して手書き入力された情報を検出できる。表示装置１は、手書き入力された位置をタッチパネル制御部１５にて検出する都度、液晶モニタ１４ａにおいて、タッチパネル制御部１５が検出した位置に対応する位置をプロットする。これにより、手書き入力された情報（軌跡）を液晶モニタ（表示部）１４ａの対応する位置に表示させることができる。
【００４３】
図４に示したメニュー表示領域１ｂの上側には、保存ボタン、印刷ボタン、削除ボタン、終了ボタンのメニューボタンが表示されている。保存ボタンは、描画領域１ａに描画されて表示中の文字及び絵等を画像データとして取り込み、保存する保存機能の実行を指示するためのボタンである。印刷ボタンは、描画領域１ａに表示中の文字及び絵等を画像データとして取り込み、電子白板システムと通信可能なプリンタ（図示せず）にて印刷する印刷機能の実行を指示するためのボタンである。削除ボタンは、描画領域１ａに表示中の文字及び絵等を全て消去する削除機能の実行を指示するためのボタンである。終了ボタンは、電子白板システムの動作終了を指示するためのボタンである。保存ボタン、印刷ボタン、削除ボタン及び終了ボタンのいずれかを操作したい場合、ユーザは、いずれかのメニューボタンの表示領域をタッチペン２のペン先でタッチする。詳細には、いずれかのメニューボタンの表示領域に対してペン先のペン先ボタン２３ａを押し当てる。
【００４４】
このとき、タッチペン２は、ペン先ボタン２３ａが操作されたことを操作検知部２３にて検出して超音波発信部２６にて表示装置１に通知する。表示装置１は、ペン先ボタン２３ａが操作されたことをタッチペン２から通知された場合、タッチパネル１５ａ（メニュー表示領域１ｂ）に対してタッチペン２（ペン先ボタン２３ａ）が操作された位置をタッチパネル制御部１５にて検出する。タッチパネル制御部１５は、ペン先ボタン２３ａが操作された位置が、いずれのメニューボタンの表示領域に含まれるかを検出することにより、ユーザがタッチペン２（ペン先ボタン２３ａ）を用いて選択（操作）したメニューボタンを検出できる。よって、表示装置１は、ユーザが選択したメニューに応じた処理を実行できる。
【００４５】
図４に示したメニュー表示領域１ｂの下側には、黒色、赤色、青色、測色した色及び消しゴムのメニューボタンが表示されている。これらのメニューボタンは、ユーザがタッチペン２の第２機能ボタン（色切替受付部）２３ｃを操作することによって選択可能なペンモードを示すボタンである。以下では、「黒色」のペンモードを黒色モードといい、「赤色」のペンモードを赤色モードといい、「青色」のペンモードを青色モードといい、「測色した色」のペンモードを測色モードといい、「消しゴム」のペンモードを消しゴムモードという。黒色モード、赤色モード、青色モード及び測色モードのそれぞれは、描画領域１ａに文字及び絵等を描画する際の線又は文字の色に、黒色、赤色、青色又は測色した色を用いるモードである。また、消しゴムモードは、描画領域１ａに表示中の文字及び絵等の一部を消去できるモードである。メニュー表示領域１ｂの下側のメニューボタンにおいて、現在選択されているペンモードが他のペンモードとは異なる態様で表示される。図４には黒色モードが選択されている状態を示す。
【００４６】
ペンモードは、第２機能ボタン２３ｃが操作される都度、例えば、黒色モード、赤色モード、青色モード、測色モード、消しゴムモードの順に切り替えられる。よって、ペンモードを切り替えたい場合、ユーザは、所望のペンモードに切り替わるまで、タッチペン２の第２機能ボタン２３ｃを複数回操作する。
このとき、タッチペン２は、第２機能ボタン２３ｃが操作されたことを操作検知部２３にて検出して超音波発信部２６にて表示装置１に通知する。表示装置１の主制御部１０は、第２機能ボタン２３ｃが操作されたことをタッチペン２から通知される都度、ペンモードを切り替えると共に、メニュー表示領域１ｂの下側のメニューボタンの表示を変更する。ユーザは、メニュー表示領域１ｂの表示にて、現在選択されているペンモードを確認し、所望のペンモードが選択されるまで第２機能ボタン２３ｃを操作する。よって、ユーザは所望の色で描画することができる。なお、タッチペン２は、現在選択されているペンモードをＲＡＭ２１に記憶しておく。
【００４７】
メニュー表示領域１ｂに表示されるメニューボタンは、「保存」、「印刷」、「黒色」及び「赤色」等の文字を用いる構成に限らず、各メニューの内容が分かるアイコンを用いてもよい。また、メニュー表示領域１ｂの下側に表示されるメニューボタンは、タッチペン２の第２機能ボタン２３ｃを操作することによって選択されるほか、メニュー表示領域１ｂの上側のメニューボタンと同様の手順にて選択可能としてもよい。切り替え可能なペンモードである黒色、赤色及び青色の色情報は予め記憶部１２に記憶されている。
【００４８】
本実施形態１の電子白板システムでは、測色モードが選択されている場合、タッチペン２の測色センサ２５にて対象物の色情報を検出し、検出（測色）した色を用いて描画することが可能である。図５は測色処理の手順を示す模式図、図６は測色した色を用いた場合の表示画面例を示す模式図である。図５には、花瓶に生けられたチューリップの葉の色情報をタッチペン２を用いて検出している状態を示し、図６には、実物のチューリップの葉から検出した色情報を用いて描画している状態を示す。
【００４９】
任意の色を用いて描画したい場合、ユーザは、タッチペン２の第２機能ボタン２３ｃを操作して測色モードを選択する。そして、ユーザは、図５に示すように、タッチペン２のペン先を、測色したい対象物（図５では、チューリップの葉）に近付けた（接触させた）状態でタッチペン２の第１機能ボタン２３ｂを操作する。第１機能ボタン２３ｂは、色情報の検出処理（測色処理）の実行指示を受け付ける指示受付部として機能する。第１機能ボタン２３ｂが操作された場合、タッチペン２は、色検出部２４及び測色センサ２５にて対象物の色情報を検出し、検出した色情報を超音波発信部（送信部）２６にて表示装置１に通知する。
【００５０】
表示装置１は、タッチペン２から通知された色情報を超音波受信部（受信部）１６にて受信し、受信した色情報の色を「測色した色」に設定し、以降に行われる描画に使用する。なお、「測色した色」の設定が完了した場合、例えば、「新しい色が設定されました」のようなメッセージを液晶モニタ１４ａに表示させることにより、設定の完了をユーザに通知してもよい。「測色した色」の設定完了後、ユーザは、図６に示すように、描画領域１ａに対してタッチペン２を用いて描画を行う。表示装置１は、液晶モニタ１４ａにおいて、タッチパネル１５ａに対して手書き入力された位置に対応する位置をプロットする際に、「測色した色」に設定した色を用いる。これにより、表示制御部１４は、タッチペン２にて測色した色で、手書き入力された情報を液晶モニタ１４ａに表示させる。よって、対象物の実際の色を用いた描画が可能となり、電子白板システムに予め用意されていない色を用いた描画が可能となる。
【００５１】
以下に、本実施形態１の電子白板システムにおいて、表示装置１及びタッチペン２が行う処理について説明する。電子白板システムを使用するユーザは、描画領域１ａに対する手書き入力操作、メニュー表示画面１ｂの上側に表示されたメニューボタンのいずれかを選択する操作、ペンモードを切り替える操作のいずれかを行う。手書き入力操作は、描画領域１ａにタッチペン２のペン先を押し当てて描画を行う操作であり、メニューボタンを選択する操作は、いずれかのメニューボタンの表示領域にタッチペン２のペン先を押し当てる操作である。また、ペンモードを切り替える操作は、タッチペン２の第２機能ボタン２３ｃを押下する操作である。
【００５２】
まず、タッチペン２が行う処理について説明する。図７はタッチペン２が行う処理の手順を示すフローチャートである。タッチペン２の制御部２０は、ペン先ボタン２３ａが操作されたか否かを操作検知部２３にて判断する（Ｓ１）。ペン先ボタン２３ａが操作されたと判断した場合（Ｓ１：ＹＥＳ）、制御部２０は、ペン先ボタン２３ａが操作されたことを超音波発信部２６にて表示装置１に通知する（Ｓ２）。ペン先ボタン２３ａが操作されていないと判断した場合（Ｓ１：ＮＯ）、制御部２０は、ステップＳ２の処理をスキップする。なお、ペン先ボタン２３ａは、描画領域１ａに手書き入力する際にも用いられるので、一画（一筆）分が入力されている間、押下された状態が継続する。従って、例えば、制御部２０は、ペン先ボタン２３ａが所定時間以上継続して操作された場合、ペン先ボタン２３ａの操作開始及び操作終了を表示装置１に通知するようにしてもよい。
【００５３】
タッチペン２の制御部２０は、第２機能ボタン２３ｃが操作されたか否かを操作検知部２３にて判断する（Ｓ３）。第２機能ボタン２３ｃが操作されたと判断した場合（Ｓ３：ＹＥＳ）、制御部２０は、第２機能ボタン２３ｃが操作されたことを超音波発信部２６にて表示装置１に通知する（Ｓ４）。第２機能ボタン２３ｃが操作されていないと判断した場合（Ｓ３：ＮＯ）、制御部２０は、ステップＳ４の処理をスキップする。
【００５４】
タッチペン２の制御部２０は、第１機能ボタン２３ｂが操作されたか否かを操作検知部２３にて判断する（Ｓ５）。第１機能ボタン２３ｂが操作されたと判断した場合（Ｓ５：ＹＥＳ）、制御部２０は、ＲＡＭ２１に記憶してあるペンモードに基づいて、現在測色モードが選択されているか否かを判断する（Ｓ６）。測色モードが選択されていると判断した場合（Ｓ６：ＹＥＳ）、制御部２０は、色検出部２４に測色処理を指示し、測色センサ２５によって対象物の色情報を検出する（Ｓ７）。制御部２０は、検出した色情報を超音波発信部２６にて表示装置１に送信し（Ｓ８）、ステップＳ１の処理に戻る。
【００５５】
第１機能ボタン２３ｂが操作されていないと判断した場合（Ｓ５：ＮＯ）、又は測色モードが選択されていないと判断した場合（Ｓ６：ＮＯ）、制御部２０は、ステップＳ７，Ｓ８の処理をスキップし、ステップＳ１の処理に戻る。タッチペン２の制御部２０は、上述した処理を所定時間（例えば、数ｍ秒、数１０ｍ秒）間隔で行う。
【００５６】
次に、表示装置１が行う処理について説明する。図８は表示装置１が行う処理の手順を示すフローチャートである。表示装置１の主制御部１０は、描画領域１ａに対して手書き入力が行われたか否かをタッチパネル制御部１５にて判断する（Ｓ１１）。具体的には、タッチパネル制御部１５は、超音波受信部１６にてタッチペン２からペン先ボタン２３ａが操作されたことを通知されたか否かを判断し、通知された場合、タッチパネル１５ａに対してペン先ボタン２３ａが操作された位置を検出する。そして、タッチパネル制御部１５は、検出した位置が描画領域１ａ内であるか否かを判断し、描画領域１ａ内であると判断した場合、主制御部１０は、描画領域１ａに対して手書き入力が行われたと判断する。一方、ペン先ボタン２３ａが操作されたことを通知されていない場合、又は、ペン先ボタン２３ａが操作された位置が描画領域１ａ内でない場合、主制御部１０は、手書き入力が行われていないと判断する。
【００５７】
手書き入力が行われたと判断した場合（Ｓ１１：ＹＥＳ）、主制御部１０は、手書きされた情報をタッチパネル制御部１５から取得し、表示制御部１４を介して液晶モニタ１４ａに表示させる（Ｓ１２）。具体的には、主制御部１０は、タッチパネル１５ａに対してペン先ボタン２３ａが操作された位置をタッチパネル制御部１５から取得し、液晶モニタ１４ａの対応する位置にプロットする。なお、手書き入力が行われていないと判断した場合（Ｓ１１：ＮＯ）、主制御部１０は、ステップＳ１２の処理をスキップする。
【００５８】
主制御部１０は、メニュー表示領域１ａの上側に表示されているメニューボタンのいずれかが操作されたか否かをタッチパネル制御部１５にて判断する（Ｓ１３）。具体的には、タッチパネル制御部１５は、超音波受信部１６にてタッチペン２からペン先ボタン２３ａが操作されたことを通知されたか否かを判断し、通知された場合、タッチパネル１５ａに対してペン先ボタン２３ａが操作された位置を検出する。そして、タッチパネル制御部１５は、検出した位置がメニュー表示領域１ｂ中のいずれかのメニューボタンの表示領域内であるか否かを判断し、いずれかのメニューボタンの表示領域内であると判断した場合、主制御部１０は、検出した位置を表示領域に含むメニューボタンが操作されたと判断する。一方、ペン先ボタン２３ａが操作されたことを通知されていない場合、又は、ペン先ボタン２３ａが操作された位置がいずれのメニューボタンの表示領域にも含まれない場合、主制御部１０は、メニューボタンが操作されていないと判断する。
【００５９】
いずれかのメニューボタンが操作されたと判断した場合（Ｓ１３：ＹＥＳ）、主制御部１０は、操作されたメニューに対応する処理を実行する（Ｓ１４）。例えば、保存ボタンが操作された場合、主制御部１０は、表示制御部１４を介して液晶モニタ１４ａの描画領域１ａに表示中の文字及び絵等を画像データとして取り込み、記憶部１２に記憶させる。いずれのメニューボタンも操作されていないと判断した場合（Ｓ１３：ＮＯ）、主制御部１０は、ステップＳ１４の処理をスキップする。
【００６０】
主制御部１０は、ペンモードの切り替えが指示されたか否かをタッチパネル制御部１５にて判断する（Ｓ１５）。具体的には、タッチパネル制御部１５は、超音波受信部１６にてタッチペン２から第２機能ボタン２３ｃが操作されたことを通知されたか否かを判断しており、通知されたと判断した場合、主制御部１０は、ペンモードの切り替えが指示されたと判断する。一方、第２機能ボタン２３ｃが操作されたことを通知されていない場合、主制御部１０は、ペンモードの切り替えが指示されていないと判断する。
【００６１】
ペンモードの切り替えが指示されたと判断した場合（Ｓ１５：ＹＥＳ）、主制御部１０は、ペンモードを変更し（Ｓ１６）、変更したペンモードを、現在選択されているペンモードとしてＲＡＭ１１に記憶させる。なお、所定のペンモード（例えば黒色モード）がデフォルト値として記憶部１２に記憶されており、主制御部１０は、記憶部１２に記憶してあるデフォルトのペンモードから順に、複数のペンモードを所定の順序にて変更する。主制御部１０は、液晶モニタ１４ａのメニュー表示領域１ｂにおいて、変更したペンモードのメニューボタンが他のメニューボタンと異なる態様となるように表示画面を変更する（Ｓ１７）。ペンモードの切り替えが指示されていないと判断した場合（Ｓ１５：ＮＯ）、主制御部１０は、ステップＳ１６，Ｓ１７の処理をスキップする。
【００６２】
主制御部１０は、タッチペン２から送信された色情報を超音波受信部１６にて受信したか否かを判断する（Ｓ１８）。色情報を受信したと判断した場合（Ｓ１８：ＹＥＳ）、主制御部１０は、ＲＡＭ１１に記憶してあるペンモードに基づいて、現在選択されているペンモードが測色モードであるか否かを判断する（Ｓ１９）。現在選択されているペンモードが測色モードであると判断した場合（Ｓ１９：ＹＥＳ）、主制御部１０は、タッチペン２から受信した色情報を記憶部１２に記憶し、測色モード時の色情報に設定する（Ｓ２０）。色情報を受信していないと判断した場合（Ｓ１８：ＮＯ）、又は、現在選択されているペンモードが測色モードではないと判断した場合（Ｓ１９：ＮＯ）、主制御部１０は、ステップＳ２０の処理をスキップする。
【００６３】
主制御部１０は、ユーザがタッチペン２を用いてメニュー表示領域１ｂ中の終了ボタンを操作することにより表示装置１の動作終了を指示されたか否かを判断する（Ｓ２１）。主制御部１０は、動作終了を指示されていないと判断した場合（Ｓ２１：ＮＯ）、ステップＳ１１の処理に戻り、動作終了を指示されたと判断した場合（Ｓ２１：ＹＥＳ）、上述した処理を終了する。
【００６４】
表示装置１の主制御部１０は、上述した処理を所定時間（例えば、数ｍ秒、数１０ｍ秒）間隔で行う。これにより、タッチペン２を用いて描画領域１ａに対して手書き入力されている場合に、ペン先ボタン２３ａが操作されていることが所定時間間隔で、タッチペン２から表示装置１に通知される。よって、表示装置１は、タッチペン２を用いて手書き入力された情報（軌跡）を所定時間間隔で液晶モニタ１４ａにプロットできるので、タッチパネル１５ａに対して手書き入力された情報を入力された状態で液晶モニタ１４ａに表示させることができる。
【００６５】
上述した処理により、本実施形態１の電子白板システムでは、タッチペン２の測色センサ２５にて実際の色情報を取得することができるので、予め用意されている色以外の色を用いた描画が可能となる。よって、色の選択範囲が広がると共に、微妙な色合いの色の使用も可能となる。また、色選択を行う際に、従来の電子白板システムのようにカラーパレットを表示させる必要がないので、描画領域にカラーパレットを表示させる構成と比較すると、描画領域を有効に使用できる。更に、測色センサ２５にて取得した色情報を用いるので、電子白板システムに予め用意されていない色を使用したい場合であっても、ユーザは煩雑な操作を行って色を作成する必要がなく、所望の色を容易に選択できる。
【００６６】
本実施形態１の電子白板システムでは、切り替え可能なペンモードとして、黒色モード、赤色モード、青色モード、測色モード及び消しゴムモードがあり、切り替え可能な色として、黒色、赤色、青色及び測色した色がある。本実施形態１の電子白板システムにおいて、黒色、赤色及び青色を、予め用意されている他の色に変更できるようにしてもよい。
【００６７】
本実施形態１の電子白板システムは、タッチペン２が超音波を用いて表示装置１へ情報（信号）を送信する構成である。タッチペン２及び表示装置１は、超音波のほかに、無線ＬＡＮ（Local Area Network）、Bluetooth（登録商標）、赤外線を利用したＩｒＤＡ（Infrared Data Association）等の無線通信にて情報を送受信してもよい。本実施形態１の電子白板システムでは、タッチペン２及び表示装置１間での情報の送受信が無線通信にて行われるので、タッチペン２を表示装置１とは別体として構成できる。よって、ユーザはタッチペン２を操作し易い。しかし、タッチペン２は、通信線を介して表示装置１に接続される構成でもよい。
【００６８】
本実施形態１の電子白板システムでは、タッチペン２は、測色センサ２５にて色情報を検出した場合に、検出した色情報を表示装置１へ送信する構成である。このほかに、タッチペン２は、検出した色情報を表示装置１へ送信すると共に記憶部２２に記憶しておいてもよい。このように構成することにより、タッチペン２を他の表示装置又は電子白板システムで使用する場合に、一度検出した色情報を他の表示装置又は電子白板システムでも使用することが可能となる。
【００６９】
本実施形態１の電子白板システムにおいて、表示装置１に、パーソナルコンピュータを接続するための接続部を設けてもよい。このように構成した場合、表示装置１の記憶部１２に記憶してあるデータだけでなく、パーソナルコンピュータから出力されたデータを液晶モニタ１４ａに表示させることができる。よって、本実施形態１の電子白板システムを用いたプレゼンテーションが可能となり、プレゼンテーションを行いつつ、表示装置１に表示された画像上に手書き入力された情報も表示することができる。
【００７０】
本実施形態１の電子白板システムは、表示装置１の主制御部１０が表示制御アプリケーションを実行することにより電子白板システムの機能を実現する構成である。このほかに、例えば、表示装置１に接続されたパーソナルコンピュータの記憶部（図示せず）に表示制御アプリケーションを記憶させておき、パーソナルコンピュータの制御部（図示せず）が表示制御アプリケーションを実行することにより、表示装置１の動作を制御し、電子白板システムの機能を実現するようにしてもよい。このように構成した場合にも、本実施形態１の電子白板システムと同様の効果が得られる。
【００７１】
（実施形態２）
以下に、実施形態２の電子白板システムについて説明する。本実施形態２では、本発明に係る入力装置を電子白板システムに適用した例について説明する。本実施形態２の電子白板システムは、例えば自宅又は会社のテレビジョン受信機又はモニタ装置等の表示装置にタッチパネルを装着することによって実現される。
【００７２】
図９は実施形態２の電子白板システムの構成を示すブロック図である。本実施形態２の電子白板システムは、テレビジョン受信機又はモニタ装置等の表示装置１と、タッチパネル４と、タッチパネル４に対して入力操作を行うタッチペン２と、タッチパネル４を介して入力を受け付ける入力装置３とを有する。本実施形態２のタッチペン２は、上述の実施形態１のタッチペン２と同様の構成を有し、本実施形態２のタッチパネル４は、上述の実施形態１の表示装置１に設けられていたタッチパネル１５ａと同様の構成である。本実施形態２では、タッチパネル４が表示装置１とは別体に構成されており、表示装置１の液晶モニタ１４ａの表示画面上にタッチパネル４を装着させることにより、電子白板システムが実現される。
【００７３】
本実施形態２の電子白板システムにおいて、表示装置１は、主制御部１０、ＲＡＭ１１、記憶部１２、バックライト制御部１３、表示制御部１４及び通信部１７等を備える。即ち、本実施形態２の表示装置１は、上述の実施形態１の表示装置１と比較すると、タッチパネル制御部１５、タッチパネル１５ａ及び超音波受信部１６を備えない代わりに、通信部１７を備える。また、本実施形態２の表示装置１は、記憶部１２に表示制御アプリケーションが記憶されていない。
通信部１７は、入力装置３との間で情報を送受信するためのインタフェースである。通信部１７は、通信線を介した有線通信を行う構成でもよいし、無線通信を行う構成でもよい。
【００７４】
本実施形態２の入力装置３は、制御部３０、ＲＡＭ３１、記憶部３２、タッチパネル制御部３３、超音波受信部３４及び通信部３５等を備える。本実施形態２の入力装置３において、タッチパネル制御部３３及び超音波受信部３４は、上述の実施形態１の表示装置１に設けられていたタッチパネル制御部１５及び超音波受信部１６と同様の構成である。
制御部３０は、ＣＰＵ又はＭＰＵ等である。制御部３０は、記憶部３２に記憶されている制御プログラムを適宜ＲＡＭ３１にロードして実行することにより上述のハードウェア各部を制御し、入力装置３を、本発明に係る入力装置として動作させる。
【００７５】
ＲＡＭ３１は、ＳＲＡＭ、ＤＲＡＭ、フラッシュメモリ等である。ＲＡＭ３１は、制御部３０による各種プログラムの実行時に発生する種々のデータを一時的に記憶する。
記憶部３２は、ＥＥＰＲＯＭ、フラッシュメモリ、ＨＤＤ等である。記憶部３２は、制御部３０が実行すべき制御プログラム及び各種データを予め記憶している。また、記憶部３２は、上述の実施形態１の表示装置１の記憶部１２に記憶されていた表示制御アプリケーションを記憶している。
通信部３５は、表示装置１との間で情報を送受信するためのインタフェースである。通信部３５は、通信線を介した有線通信を行う構成でもよいし、無線通信を行う構成でもよい。
【００７６】
本実施形態２の電子白板システムでは、タッチペン２から出力される信号（超音波）は、入力装置３の超音波受信部（受信部）３４が受信する。よって、入力装置３において、タッチパネル制御部３３が、超音波受信部３４にて受信したタッチペン２からの信号に基づいて、タッチペン２のいずれの操作ボタン２３ａ，２３ｂ，２３ｃが操作されたかを検出する。また、タッチパネル制御部３３は、タッチパネル４に対して入力操作するタッチペン２がタッチパネル４に接触した場合に、その接触位置を検出する。タッチパネル制御部３３は、検出した接触位置及びユーザが操作した操作ボタン２３ａ（又は２３ｂ，２３ｃ）に基づいて、ユーザによって手書きされた情報、ユーザによって選択されたメニューを検出して制御部３０へ出力する。
【００７７】
本実施形態２の電子白板システムにおいて、表示装置１（液晶モニタ１４ａ）に表示される表示画面は、上述の実施形態１で説明した画面と同様である。また、本実施形態２の電子白板システムにおいて、入力装置３のタッチパネル制御部３３及び超音波受信部３４は、上述の実施形態１の表示装置１のタッチパネル制御部１５及び超音波受信部１６と同様の処理を行う。よって、本実施形態２の電子白板システムでは、入力装置３が、ユーザがタッチペン２を用いて行った各種の操作を受け付けることができる。具体的には、入力装置３は、描画領域１ａに対する手書き入力操作、メニュー表示画面１ｂの上側に表示されたメニューボタンのいずれかを選択する操作、ペンモードを切り替える操作を受け付ける。
【００７８】
上述した構成により、本実施形態２の電子白板システムにおいて、タッチペン２は、上述の実施形態１において図７を用いて説明した処理と同様の処理を行う。また、本実施形態２の電子白板システムにおいて、入力装置３は、上述の実施形態１において図８を用いて説明した処理と同様の処理を行う。即ち、本実施形態２の入力装置３は、上述の実施形態１の表示装置１が行う処理と同様の処理を行う。ただし、図８中のステップＳ１２，Ｓ１７の処理においては、入力装置３の制御部３０は、表示装置１の液晶モニタ１４ａに表示すべき情報を通信部３５を介して表示装置１へ送信する。
このような構成により、本実施形態２の電子白板システムにおいても、上述の実施形態１の電子白板システムと同様の効果が得られる。
【００７９】
上述の実施形態１，２では、液晶モニタ１４ａの前面側にタッチパネル１５ａが設けられている構成の電子白板システムについて説明した。このほかに、電子白板システムは、液晶モニタ１４ａの背面側にタッチパネル１５ａが設けられた構成でもよく、タッチパネル１５ａ及び液晶モニタ１４ａが一体に構成されていてもよい。
【００８０】
上述の実施形態１，２では、本発明に係る表示装置及び入力装置を電子白板システムに適用した例について説明した。このほかに、本発明に係る表示装置及び入力装置は、画像を表示部に表示させる機能、タッチパネル又はペンタブレット等のように手書き入力できる機能等を備えた装置に適用できる。例えば、本発明に係る表示装置及び入力装置は、タブレット型のコンピュータ、デジタルスチルカメラ、デジタルビデオカメラ、携帯電話機、ＰＤＡ（Personal Digital Assistants）、携帯ゲーム機、スマートフォン等に適用できる。
【００８１】
以上、本発明の好適な実施形態について具体的に説明したが、各構成及び動作等は適宜変更可能であって、上述の実施形態に限定されることはない。
【符号の説明】
【００８２】
１  表示装置
２  タッチペン（操作体）
３  入力装置
１４  表示制御部
１６  超音波受信部（受信部）
２２  記憶部
２４  色検出部
２５  測色センサ
２６  超音波発信部（送信部）
１４ａ  液晶モニタ（表示部）
１５ａ  タッチパネル
２３ａ  ペン先ボタン
２３ｂ  第１機能ボタン（指示受付部）
２３ｃ  第２機能ボタン（色切替受付部）
【図１】
2013250805.tif 000003
【図２】
2013250805.tif 000004
【図３】
2013250805.tif 000005
【図４】
2013250805.tif 000006
【図５】
2013250805.tif 000007
【図６】
2013250805.tif 000008
【図７】
2013250805.tif 000009
【図８】
2013250805.tif 000010
【図９】
2013250805.tif 000011
【図１０】
2013250805.tif 000012